(57)【要約】【課題】炉内における廃棄物の燃焼量を一定に保つとともに、廃熱ボイラの蒸気量も一定に保つことが可能な廃棄物焼却炉を提供する。【解決手段】ホッパ３に投入されて受床５上に落下した廃棄物をプッシャ１２によって押し出し、炉本体１の落ち口１６から火格子７上に落下させ、火格子７上で廃棄物を搬送しながら燃焼させる廃棄物焼却炉において、炉本体１の落ち口１６に空気を吹き込む空気吹込みノズル１８を設置し、受床５の前端５ａよりも炉本体１の内側に張り出す廃棄物の張出し部Ｐを燃焼させる。【選択図】図１
2019211106.tif 000002
【特許請求の範囲】
【請求項１】
ホッパに投入されて受床上に落下した廃棄物をプッシャによって押し出し、炉本体の落ち口から火格子上に落下させ、前記火格子上で前記廃棄物を搬送しながら燃焼させる廃棄物焼却炉において、
前記炉本体の前記落ち口に空気を吹き込む空気吹込みノズルを設置し、
前記受床の前端よりも前記炉本体の内側に張り出す前記廃棄物の張出し部を燃焼させる廃棄物焼却炉。
【請求項２】
前記空気吹込みノズルは、前記落ち口の上側に設置される第１ノズルと、前記落ち口の下側に設置される第２ノズルと、を備えることを特徴とする請求項１に記載の廃棄物焼却炉。
【請求項３】
前記張出し部の大きさに基づいて前記空気吹込みノズルからの空気吹込み量を制御する制御装置を備えることを特徴とする請求項１又は２に記載の廃棄物焼却炉。
【請求項４】
前記制御装置が赤外線カメラの熱画像情報により前記張出し部の大きさを求めることを特徴とする請求項３に記載の廃棄物焼却炉。
【請求項５】
ホッパに投入されて受床上に落下した廃棄物をプッシャによって押し出し、炉本体の落ち口から火格子上に落下させ、前記火格子上で前記廃棄物を搬送しながら燃焼させる廃棄物焼却方法において、
前記炉本体の前記落ち口に空気を吹き込む空気吹込みノズルを設置し、
前記受床の前端よりも前記炉本体の内側に張り出す前記廃棄物の張出し部を燃焼させる廃棄物焼却方法。
【発明の詳細な説明】
【技術分野】
【０００１】
本発明は、都市ごみ等の廃棄物を焼却する廃棄物焼却炉及び廃棄物焼却方法に関する。
【背景技術】
【０００２】
都市ごみ等の廃棄物を焼却する廃棄物焼却炉として、連続的に供給される廃棄物を焼却する火格子式の廃棄物焼却炉が知られている（特許文献１参照）。この火格子式の廃棄物焼却炉で廃棄物を焼却する際には、まず、クレーンによって廃棄物をホッパに投入し、次いで、シュートを介して受床上に落下させる。受床上には、落下した廃棄物を炉本体に向かって押し出すプッシャが設置され、プッシャによって押し出された廃棄物は、炉本体の落ち口（受床の前端）から火格子上に落下する。火格子は、火格子上に落下した廃棄物を搬送しながら燃焼させる。このような一連の流れを経て、廃棄物は焼却される。
【先行技術文献】
【特許文献】
【０００３】
【特許文献１】特開２００５−１６４１２１号公報
【発明の開示】
【発明が解決しようとする課題】
【０００４】
ところで、受床の前端に位置する廃棄物は、プッシャによって直接押されずに後続の廃棄物を介して押される。なぜならば、プッシャの前端が廃棄物から露出して炉本体内の高温燃焼ガスと接触すると、プッシャが劣化してしまうため、あえてプッシャを炉本体内まで押し出さないようにしているという理由からである。それゆえ、廃棄物の性状や炉本体内の燃焼状況によっては、プッシャによって押された廃棄物が火格子上に落下せず、受床の前端よりも前方に張り出す張出し部が発生する。張出し部が限界まで大きくなると、その自重により崩れて一気に炉本体内に落ち込む。その結果、炉内における廃棄物の燃焼量が急激に変動してしまう。
【０００５】
また、廃棄物を燃焼した際に発生する燃焼熱は廃熱ボイラで熱回収され、廃熱ボイラの蒸気は発電に利用される。このため、廃棄物の燃焼熱を用いて発電する施設では、蒸気量を一定にすることが求められている。しかし、廃棄物の燃焼量の急激な変動が起こると、廃熱ボイラの蒸発量を一定に保つのが難しくなる。
【０００６】
本発明は、このような課題に鑑みてなされたもので、炉内における廃棄物の燃焼量を一定に保つとともに、廃熱ボイラの蒸気量も一定に保つことが可能な廃棄物焼却炉及び廃棄物焼却方法を提供することを目的とする。
【課題を解決するための手段】
【０００７】
上記課題を解決するために、本発明の一態様は、ホッパに投入されて受床上に落下した廃棄物をプッシャによって押し出し、炉本体の落ち口から火格子上に落下させ、前記火格子上で前記廃棄物を搬送しながら燃焼させる廃棄物焼却炉において、前記炉本体の前記落ち口に空気を吹き込む空気吹込みノズルを設置し、前記受床の前端よりも前記炉本体の内側に張り出す前記廃棄物の張出し部を燃焼させる廃棄物焼却炉である。
【０００８】
本発明の他の態様は、ホッパに投入されて受床上に落下した廃棄物をプッシャによって押し出し、炉本体の落ち口から火格子上に落下させ、前記火格子上で前記廃棄物を搬送しながら燃焼させる廃棄物焼却方法において、前記炉本体の前記落ち口に空気を吹き込む空気吹込みノズルを設置し、前記受床の前端よりも前記炉本体の内側に張り出す前記廃棄物の張出し部を燃焼させる廃棄物焼却方法である。
【発明の効果】
【０００９】
本発明によれば、空気吹込みノズルが落ち口に空気を吹き込んで張出し部を燃焼させるので、張出し部が過剰に大きくなるのを防止することができる。このため、張出し部が一気に炉本体内に装入されて燃焼量が急激に変動するのを防止でき、廃熱ボイラの蒸気量が急激に変動するのを防止できる。
【図面の簡単な説明】
【００１０】
【図１】本発明の一実施形態の廃棄物焼却炉の縦断面図である。
【図２】プッシャによって押し出された廃棄物に張出し部が発生した状態を示す図である。
【図３】廃棄物の張出し部が火格子上に落下した状態を示す図である。
【図４】炉本体の落ち口に設置した空気吹込みノズルを示す図である。
【図５】赤外線カメラが生成する熱画像情報を示す図である。
【発明を実施するための形態】
【００１１】
以下、添付図面を参照して、本発明の実施形態の廃棄物焼却炉を詳細に説明する。ただし、本発明の廃棄物焼却炉は種々の形態で具体化することができ、明細書に記載される実施形態に限定されるものではない。本実施形態は、明細書の開示を十分にすることによって、当業者が発明を十分に理解できるようにする意図をもって提供されるものである。
【００１２】
図１は、本発明の一実施形態の廃棄物焼却炉の縦断面図である。本実施形態の廃棄物焼却炉は、内部に主燃焼室２及び二次燃焼室１０を有する炉本体１と、廃棄物が投入されるホッパ３と、廃棄物を受床５上に導くシュート４と、を備える。
【００１３】
図示しないクレーンによってホッパ３に投入された廃棄物は、シュート４を介して受床５上に落下する。受床５上には、プッシャ１２が設置される。プッシャ１２は、受床５上に落下した廃棄物を炉本体１に向かって押し出す。プッシャ１２は前後方向（図１の左右方向）に実線の位置から破線の位置まで往復動する。プッシャ１２によって押し出された廃棄物は、受床５の前端の落ち口１６から火格子７上に落下する。炉本体１には、受床５と火格子７との間に落下のための段差を形成する落差壁８が設けられる。
【００１４】
図２は、プッシャ１２によって押し出された廃棄物に張出し部Ｐが発生した状態を示す。図２のＳは、プッシャ１２の前後方向のストロークを表す。受床５の前端５ａに位置する廃棄物は、プッシャ１２によって直接押されずに後続の廃棄物を介して押される。なぜならば、プッシャ１２の前端１２ａが廃棄物から露出して炉本体１内の高温燃焼ガスに接触し、劣化するのを防止するためである。それゆえ、廃棄物の性状情や炉本体１内の燃焼状況によっては、廃棄物が火格子７上に落下せず、受床５の前端５ａよりも前方に張り出す張出し部Ｐが発生する。
【００１５】
図３は、廃棄物の張出し部Ｐが火格子７上に落下した状態を示す。張出し部Ｐが限界まで大きくなると、その自重により崩れて一気に火格子７上に落下する。その結果、廃棄物の燃焼量の急激な変動が起こる。
【００１６】
図４は、落ち口（受床の前端）に空気を吹き込む空気吹込みノズル１８を示す。空気吹込みノズル１８は、落ち口１６の上側に配置される第１ノズル１８ａと、落ち口１６の下側に配置される第２ノズル１８ｂと、を備える。第１ノズル１８ａの吹出口２１ａは、落ち口１６の上部に配置される。第１ノズル１８ａは、斜め下方向に空気を吹き込む。第２ノズル１８ｂの吹出口２１ｂは、落ち口１６の下部にある。第２ノズル１８ｂは、斜め上方向に空気を吹き込む。吹出口２１ａ，２１ｂは、廃棄物の張出し部Ｐ（図２参照）の前端よりも上流側にある。
【００１７】
第１ノズル１８ａと第２ノズル１８ｂの個数は、炉幅に応じて適宜設定される。例えば、落ち口１６の炉幅方向の中央の一箇所に上下一対の第１ノズル１８ａと第２ノズル１８ｂを配置することもできるし、炉幅方向の複数箇所に上下一対の第１ノズル１８ａと第２ノズル１８ｂを配置することもできる。
【００１８】
第１ノズル１８ａと第２ノズル１８ｂが常に一定の空気吹込み量を吹き込むようにすることもできるし、張出し部Ｐの大きさに基づいて空気吹込み量を制御することもできる。常に一定の空気吹込み量を吹き込めば、廃棄物の張出し部Ｐを徐々に燃焼させ、張出し部Ｐが過剰に大きくなるのを防止できる。張出し部Ｐの大きさに基づいて空気吹込み量を制御すれば、廃熱ボイラの蒸発量の変動をさらに抑制できる。空気吹込み量の制御については後述する。
【００１９】
図１に示すように、第１ノズル１８ａ及び第２ノズル１８ｂには、エアー配管２２を介してコンプレッサ２３が接続される。コンプレッサ２３は、圧縮空気を第１ノズル１８ａ及び第２ノズル１８ｂに供給する。
【００２０】
主燃焼室２の下部には、火格子７が設けられる。火格子７は、上流側から乾燥火格子７ａ、燃焼火格子７ｂ、後燃焼火格子７ｃを備える。乾燥火格子７ａ、燃焼火格子７ｂ、後燃焼火格子７ｃそれぞれは、可動火格子と固定火格子に分けられ、可動火格子の摺動運動により廃棄物の搬送及び撹拌を行う。廃棄物は、火格子７上を上流側（図１の左側）から下流側（図１の右側）に炉長方向に移動する。
【００２１】
乾燥火格子７ａは、廃棄物の乾燥及び廃棄物の一部の熱分解を行う。燃焼火格子７ｂは、廃棄物の熱分解により発生する可燃性ガスと固形分の燃焼を行う。後燃焼火格子７ｃは、固定炭素などの未燃分の燃焼を行う。燃焼後の灰は、灰落下口６から排出される。
【００２２】
乾燥火格子７ａ、燃焼火格子７ｂ、後燃焼火格子７ｃそれぞれの下部には、風箱１７ａ，１７ｂ，１７ｃが設けられる。ブロワ１９により供給される燃焼用一次空気は、空気供給管９を介して風箱１７に供給され、乾燥火格子７ａ、燃焼火格子７ｂ、後燃焼火格子７ｃを通って主燃焼室２に供給される。なお、一次空気の温度は、蒸気との熱交換を行う加熱装置２０によって調整される。一次空気の供給量は、ダンパ１１により調整される。
【００２３】
二次燃焼室１０は、主燃焼室２の燃焼ガス下流端に位置する。二次燃焼室１０では、主燃焼室２から排出される排ガス中の未燃ガスを二次燃焼させる。二次燃焼室１０には、未燃ガスを二次燃焼させるための二次燃焼用ガスが吹き込まれる。二次燃焼させた後の排ガスは、廃熱ボイラで熱回収された後に外部に放出される。
【００２４】
主燃焼室２の下流側の側壁２ａには、赤外線カメラ１３が設置される。赤外線カメラ１３は、炉本体１の上下方向及び炉幅方向に拡がる視野角を有し、この測定視野における熱画像情報を生成する。
【００２５】
図５は、赤外線カメラ１３が生成する熱画像情報を示す。図５に示すように、赤外線カメラ１３は、受床５上の廃棄物層ｗ１の熱画像情報、及び火格子７上の廃棄物層ｗ２の熱画像情報を生成する。主燃焼室２に火炎が存在していても廃棄物層ｗ１，ｗ２の温度分布を取得できるように、赤外線カメラ１３にはフィルタが取り付けられる。
【００２６】
図１に示すように、赤外線カメラ１３には、データ処理装置１４が接続される。データ処理装置１４は、赤外線カメラ１３が生成した熱画像情報をメモリに格納し、熱画像情報を画像処理する。そして、受床５上の廃棄物層ｗ１の張出し部Ｐ（図５参照）の大きさを算出し、火格子７上の廃棄物層ｗ２の層厚と温度を算出する。
【００２７】
データ処理装置１４には、制御装置１５が接続される。制御装置１５は、火格子７上の廃棄物ｗ２の層厚と温度等に基づいて、プッシャ１２、火格子７の送り機構、ダンパ１１、加熱装置２０等を制御する。また、制御装置１５は、張出し部Ｐの大きさに基づいて、コンプレッサ２３を制御し、第１ノズル１８ａと第２ノズル１８ｂからの空気吹込み量を制御する。例えば制御装置１５は、張出し部Ｐの大きさが所定の閾値よりも大きい場合は、空気吹込みノズル１８の空気吹込み量を大きくし、小さい場合は、空気吹込みノズル１８の空気吹込み量を小さくする。これにより、廃熱ボイラの蒸気量の変動をさらに抑制することができる。
【００２８】
以上に本実施形態の廃棄物焼却炉の構成を説明した。本実施形態の廃棄物焼却炉によれば、以下の効果を奏する。
【００２９】
空気吹込みノズル１８から落ち口１６に空気を吹き込んで張出し部Ｐを燃焼させるので、張出し部Ｐが過剰に大きくなるのを防止することができる。このため、張出し部Ｐが一気に炉本体１内に装入されて燃焼量が急激に変動するのを防止でき、廃熱ボイラの蒸気量が急激に変動するのを防止できる。すなわち、炉内における廃棄物の燃焼量を一定に保つとともに、廃熱ボイラの蒸気量も一定に保つことが可能となる。
【００３０】
空気吹込みノズル１８が落ち口１６の上側に設置される第１ノズル１８ａと、落ち口１６の下側に設置される第２ノズル１８ｂと、を備えるので、張出し部Ｐを上側と下側から効率的に燃焼させることができる。
【００３１】
制御装置１５が張出し部Ｐの大きさに基づいて空気吹込みノズル１８からの空気吹込み量を制御するので、廃熱ボイラの蒸気量の変動をさらに抑制することができる。
【００３２】
制御装置１５が赤外線カメラ１３の熱画像情報により張出し部Ｐの大きさを求めるので、張出し部Ｐの大きさを正確に求めることができる。
【００３３】
なお、本発明は上記実施形態に具現化されるのに限られることはなく、本発明の要旨を変更しない範囲で他の実施形態に変更可能である。例えば、上記実施形態では、乾燥火格子、燃焼火格子、後燃焼火格子を水平面内に配置しているが、乾燥火格子、燃焼火格子、後燃焼火格子を階段状に配置することもできる。
【符号の説明】
【００３４】
１…炉本体
３…ホッパ
５…受床
５ａ…受床の前端
７…火格子
１２…プッシャ
１３…赤外線カメラ
１５…制御装置
１６…落ち口
１８…空気吹込みノズル
１８ａ…第１ノズル
１８ｂ…第２ノズル
Ｐ…廃棄物の張出し部
【図１】
2019211106.tif 000003
【図２】
2019211106.tif 000004
【図３】
2019211106.tif 000005
【図４】
2019211106.tif 000006
【図５】
2019211106.tif 000007